(57)【要約】      （修正有）【課題】基板における表面の電源回路以外の他の回路を検討する時に電源回路付近に手が触れても感電することを防ぐことができ、安全を確保することができる基板絶縁構造を提供する。【解決手段】基板１は電源回路２と他の回路が所定間隔をおいて形成され、電源回路２の表面に柔軟性の有る材質で形成された絶縁カバー６が被覆されており、電源回路２は一次側と二次側に分離構成され、その境目にトランス２ｃが配置されていて、電源回路２と他の回路との間に細長穴１ａが穿設され、絶縁カバー６の四隅は基板１における電源回路２のパターンから離れた位置にビス止めされていて、このビス７は基板１が配置される筐体に小円筒を介して螺入され、細長穴１ａには絶縁カバー６の側縁部６ａが挿入されている。【選択図】図２
0003112789.tif 000002
【実用新案登録請求の範囲】
【請求項１】
基板に設けられた電源回路の表面を絶縁して保護するようにした基板絶縁構造において、前記基板には前記電源回路と他の回路が所定間隔をおいて形成され、前記電源回路の表面に柔軟性の有る材質で形成された絶縁カバーが被覆されており、前記電源回路は一次側と二次側に分離構成され、その境目にトランスが配置されていて、前記電源回路と他の回路との間に細長穴が穿設され、前記絶縁カバーの四隅は前記基板における前記電源回路のパターンから離れた位置にビス止めされていて、このビスは前記基板が配置される筐体に小円筒を介して螺入され、前記細長穴には前記絶縁カバーの側縁部が挿入されていることを特徴とする基板絶縁構造。
【請求項２】
基板に設けられた電源回路の表面を絶縁して保護するようにした基板絶縁構造において、前記基板には前記電源回路と他の回路が所定間隔をおいて形成されており、前記電源回路に柔軟性の有る材質で形成された絶縁カバーが被覆して取り付けられていることを特徴とする基板絶縁構造。
【請求項３】
前記基板の表面に設けられた前記他の回路がビデオ回路、オーディオ回路、コントロール回路等の複数の回路からなる請求項２に記載の基板絶縁構造。
【考案の詳細な説明】
【技術分野】
【０００１】
本考案は、基板に設けられた電源回路の表面を絶縁して保護するようにした基板絶縁構造に関するものである。
【背景技術】
【０００２】
一般に、ＤＶＤプレーヤー等の基板の表面には、図３（ａ）に示すように、基板１０１の表面を区画するように、電源回路１０２の他に、ビデオ回路１０３、コントロール回路１０４等の他の回路が同じように配列されていることが多い。ところが、この基板１０１における他の回路の検討をする際に、図３（ｂ）に示すように、誤って電源回路１０２に手Ｔを触れてしまって感電してしまうことがあるという問題があった。
【０００３】
第１の従来技術を図４に示す。この従来の冷蔵庫は、図４に示すように、電源プリント基板収納部２１５を除く外箱２１２の背面を覆う金属製の後板２１６を取付け、後板２１６の上端より収納部２１５内へ補強板２１８を延設し、補強板２１８の両端に位置する外箱２１２の背面上部に左右２枚のカバー２２４、２２６を取付け、補強板２１８に電源プリント基板２２８を取付け、電源プリント基板２２８を後カバー２３０で覆うにしている。（例えば、特許文献１参照）。
【０００４】
ところが、これは、電源プリント基板２２８の全体を後カバー２３０で覆うものであって、基板の同一表面に電源回路と他の回路が形成されているものではなかった。
【０００５】
第２の従来技術を図５に示す。この従来の電装部ロック機構は、図５に示すように、装置に外部から給電する１つの電源インレットと、内部に電源ユニット３１１、３２１を含む複数の電装部３１２、３２２と、該複数の電装部３１２、３２２の各々を外部からカバーする電装カバー３０１、３０２と、給電された電源を装置内部で分岐してケーブルによってそれぞれの電源ユニット３１１、３２１に供給し、前記電源インレットを備える第１の電装部３１２をカバーする第１の電装カバー３０１に前記電源インレットに電源コード３１４を差し込むための開口部を有している装置に設けられる電装部ロック機構を、前記第１の電装カバー３０１と他の電装カバー３０２とを係合せしめ、第１の電装カバー３０１を取り外した後でなければ他の電装カバー３０２を取り外すことができないよう構成している。（例えば、特許文献２参照）。
【０００６】
ところが、これは、複数の電装部３１２、３２２を外部から電装カバー３０１、３０２でカバーするものであって、電源回路と他の回路を有する基板の電源回路をカバーで覆うものではなかった。
【特許文献１】特開平６−６６４７４号公報
【特許文献２】特開２００２−３１９２４号公報
【考案の開示】
【考案が解決しようとする課題】
【０００７】
本考案は、上記従来の問題に鑑みてなされたものであって、基板における表面の電源回路以外の他の回路を検討する時に電源回路付近に手が触れても感電することを防ぐことができ、安全を確保することができる基板絶縁構造を提供することを目的としている。
【課題を解決するための手段】
【０００８】
本考案は、上記課題を解決するために提案されたものであって、請求項１に記載の考案は、基板に設けられた電源回路の表面を絶縁して保護するようにした基板絶縁構造において、前記基板には前記電源回路と他の回路が所定間隔をおいて形成され、前記電源回路の表面に柔軟性の有る材質で形成された絶縁カバーが被覆されており、前記電源回路は一次側と二次側に分離構成され、その境目にトランスが配置されていて、前記電源回路と他の回路との間に細長穴が穿設され、前記絶縁カバーの四隅は前記基板における前記電源回路のパターンから離れた位置にビス止めされていて、このビスは前記基板が配置される筐体に小円筒を介して螺入され、前記細長穴には前記絶縁カバーの側縁部が挿入されていることを特徴としている。
【０００９】
請求項２に記載の考案は、基板に設けられた電源回路の表面を絶縁して保護するようにした基板絶縁構造において、前記基板には前記電源回路と他の回路が所定間隔をおいて形成されており、前記電源回路に柔軟性の有る材質で形成された絶縁カバーが被覆して取り付けられていることを特徴としている。
【００１０】
請求項３に記載の考案は、請求項２に記載の考案において、前記基板の表面に設けられた前記他の回路がビデオ回路、オーディオ回路、コントロール回路等の複数の回路からなるものである。
【考案の効果】
【００１１】
請求項１に記載の考案によれば、電源回路の表面に絶縁カバーが被覆されているから、基板における表面の他の回路を検討する時に電源回路付近に手が触れても絶縁カバーによって感電することを防ぐことができ、安全を確保することができる。更に、電源回路に誤って触れることがないから、電源回路のプラス側とグランド側等のショートが起こることを防ぐことができて、電源回路を破壊してしまうことがない。また、絶縁カバーは柔軟性の有る材質で形成されているから、上側から強い衝撃を受けてもこの絶縁カバーが壊れてしまうことを防ぐことができる。しかも、細長穴に絶縁カバーの側縁部が挿入されているから、電源回路と他の回路を確実に分離することができる。
【００１２】
請求項２に記載の考案によれば、電源回路の表面に絶縁カバーが被覆されているから、基板における表面の他の回路を検討する時に電源回路付近に手が触れても絶縁カバーによって感電することを防ぐことができ、安全を確保することができる。更に、電源回路に誤って触れることがないから、電源回路のプラス側とグランド側等のショートが起こることを防ぐことができて、電源回路を破壊してしまうことがない。また、絶縁カバーは柔軟性の有る材質で形成されているから、上側から強い衝撃を受けてもこの絶縁カバーが壊れてしまうことを防ぐことができる。
【００１３】
請求項３に記載の考案によれば、他の基板がビデオ回路、オーディオ回路、コントロール回路等からなり、これらの他の回路を検討する時に、絶縁カバーによって手が電源回路に触れることを防ぐことができ、安全である。
【考案を実施するための最良の形態】
【００１４】
以下、本発明に係る基板絶縁構造の実施の形態を、図を参照しつつ説明する。
【００１５】
図１は第１実施形態の基板絶縁構造を示し、（ａ）はその平面図、（ｂ）はその絶縁カバーを基板にビス止めした状態の部分断面図である。
【００１６】
この第１実施形態の基板絶縁構造は、図１（ａ）に示すように、基板１の表面に電源回路２の他に、ビデオ回路３とオーディオ回路４とコントロール回路５等が設けられている。電源回路２には上側から柔軟性の有る材質で形成された絶縁カバー６が被覆されており、この絶縁カバー６は、基板１の表面の電源回路２のパターンから離れた四隅でビス７により取り付けられている。このビス７は図１（ｂ）に示すように、筐体８に小円筒９を介して螺入されている。
【００１７】
従って、この第１実施形態によれば、電源回路２の表面に絶縁カバー６が被覆されているから、基板１における表面の他の回路３、４、５を検討する時に電源回路２付近に手が触れても絶縁カバー６によって感電することを防ぐことができ、安全を確保することができる。更に、電源回路２に誤って触れることがないから、電源回路２のプラス側とグランド側等のショートが起こることを防ぐことができて、電源回路２を破壊してしまうことがない。また、絶縁カバー６は柔軟性の有る材質で形成されているから、上側から強い衝撃を受けてもこの絶縁カバー６が壊れてしまうことを防ぐことができる。
【００１８】
図２は第２実施形態の基板絶縁構造を示す平面図である。
【００１９】
この第２実施形態の基板絶縁構造は、図２に示すように、電源回路２は一次側の電源回路２ａと二次側の電源回路２ｂとに分離構成され、その境目にトランス２ｃが配置されている。また、基板１には電源回路２と他の回路３、５との間に細長穴１ａが穿設されていて、この細長穴１ａに絶縁カバー６の側縁部６ａが挿入されている。
【００２０】
従って、この第２実施形態によれば、絶縁カバー６によって一次側の電源回路２ａと二次側の電源回路２ｂとがショートする虞がない。また、基板１に穿設された細長穴１ａに絶縁カバー６の側縁部６ａが挿入されているから、電源回路２と他の回路３、５を確実に分離することができる。
【図面の簡単な説明】
【００２１】
【図１】第１実施形態の基板絶縁構造を示し、（ａ）はその平面図、（ｂ）はその絶縁カバーを基板にビス止めした状態の部分断面図である。
【図２】第２実施形態の基板絶縁構造を示す平面図である。
【図３】従来の電源回路と他の回路が表面に設けられて基板を示し、（ａ）はその平面図、（ｂ）は他の回路を検討する時に電源回路に手が触れた状態を示す説明図である。
【図４】従来の冷蔵庫の部分分解斜視図である。
【図５】従来の電装部ロック機構の分解斜視図である。
【符号の説明】
【００２２】
１          基板
１ａ        細長穴
２          電源回路
２ａ        一次側の電源回路
２ｂ        二次側の電源回路
２ｃ        トランス
３          ビデオ回路
４          オーディオ回路
５          コントロール回路
６          絶縁カバー
６ａ        側縁部
７          ビス
８          筐体
９          小円筒
【図１】
0003112789.tif 000003
【図２】
0003112789.tif 000004
【図３】
0003112789.tif 000005
【図４】
0003112789.tif 000006
【図５】
0003112789.tif 000007